(57)【要約】      （修正有）【課題】寸法の調整代が大きく、軽量で、コンパクトに収納でき、持ち運び容易で安価に得られる動物用の保護カラーを提供する。【解決手段】動物用保護カラー１は、その使用に当たり、差し込み舌片６，７を差し込むスリット９を選択することにより、適用する動物の首周りの大きさに応じ、環状内周縁部２の径を調整できる。折目８の折角度を調整すれば、環状外周縁部３の径が変わり、円錐台筒の開き角度を動物の頭部の大きさに適合させることができる。第１、第２の両端縁４，５からそれぞれ差し込み舌片が突出しており、組立時に差し込み舌片を円錐台筒の内側と外側からスリットに差し込み係止できるので、形状が安定的に維持される。【選択図】図１
0003212717.tif 000002
【実用新案登録請求の範囲】
【請求項１】
柔軟な薄板材からなり、小径円弧状の内周縁部と、これと同心の大径円弧状の外周縁部と、前記内周縁部の両端と前記外周縁部の両端の間を前記内周縁部の円心から延びる放射線に沿ってつなぐ第１及び第２の端縁と、前記第１及び第２の端縁からそれぞれ突出する差し込み舌片と、前記内周縁部を多数等分する内側起点と前記外周縁部を同数等分する外側起点との間を結び前記内周縁部の円心から延びる放射線状の多数の折目と、当該各折目に沿うように形成される複数のスリットとを具備し、
前記多数の折目は、交互に並ぶ谷折り目と山折り目からなり、前記スリットは、前記差し込み舌片を差し込み可能な対応位置に形成され、
任意の前記折目同士を重ねて前記差し込み舌片を任意の前記折目上の前記スリットに挿入係止することによって、任意の半径の環状内周縁部と環状外周縁部を有する蛇腹状の円錐台筒を形成可能に構成され、
前記環状内周縁部が動物の首部に巻かれる時、全体が前記動物の頭部を囲繞するように構成されることを特徴とする動物用保護カラー。
【請求項２】
紙製の薄板材からなることを特徴とする請求項１に記載の動物用保護カラー。
【請求項３】
前記内周縁部は、隣接する前記各内側起点間を接続して内側へ膨らむように湾曲した多数のラウンドカット部の連続により形成されることを特徴とする請求項１に記載の動物用保護カラー。
【考案の詳細な説明】
【技術分野】
【０００１】
本考案は、治療中の炎症部を持つ犬や猫などの動物が、炎症部を舐めて症状を悪化させることがないように、その行動を規制するために、首に装着して使用される動物用の保護カラーに関する。
【背景技術】
【０００２】
従来、比較的硬質の合成樹脂製板材によって、それぞれ共通の曲率中心をもつ小径円弧状の内周縁部と大径円弧状の外周縁部とを有する平面視略扇形に形成されたカラー本体を有する動物用の保護カラーが提案されている（特許文献参照）。カラー本体にはその全域にわたって多数の通気孔が設けられる。また、カラー本体の周方向一端部にはその一面側に周方向一定角度ピッチで複数個の雌形部片が設けられ、周方向他端部にはその他面側に、雌形部片に係脱自在の複数個の雄形部片が周方向一定角度ピッチで設けられる。動物の首の太さに応じ、任意の雌形部片と雄形部片とを係合させて、内周縁部の巻き付け径を調整し、カラー本体を截頭円錐形状に形成し、動物の首に装着して使用する。
【先行技術文献】
【特許文献】
【０００３】
【特許文献１】実用新案登録第３０５０７５８号公報
【考案の概要】
【考案が解決しようとする課題】
【０００４】
上記従来の動物用の保護カラーは、内周縁部又は外周縁部の直径の調節範囲に限界がある。硬質の合成樹脂製板材からなるから、比較的大型、大重量で、コンパクトに収納して持ち運ぶことができないという問題点がある。
したがって、本考案は、寸法の調整代が大きく、様々なペットの首回りの径に適合させることができ、軽量であり、折りたたんでコンパクトに収納でき、持ち運び容易で安価な動物用の保護カラーを提供することを目的としている。
【課題を解決するための手段】
【０００５】
以下、添付図面の符号を参照して説明するが、本考案はこれに限定されるものではない。
上記課題を解決するための、本考案の動物用保護カラー１は、柔軟な薄板材からなり、小径円弧状の内周縁部２と、これと同心の大径円弧状の外周縁部３と、内周縁部２の両端と外周縁部３の両端の間を内周縁部の円心Ｏから延びる放射線Ａ，Ｂに沿ってつなぐ第１及び第２の端縁４，５と、これらの端縁４，５からそれぞれ突出する差し込み舌片６，７と、内周縁部２を多数等分する内側起点２ａと外周縁部３を同数等分する外側起点３ａとの間を結び内周縁部２の円心Ｏから延びる放射線状の多数の折目８と、当該各折目８に沿うように形成される複数のスリット９とを具備する。多数の折目８は、交互に並ぶ谷折り目と山折り目からなる。スリット９は、差し込み舌片６，７を差し込み可能な対応位置に形成される。任意の折目同士８を重ねて、差し込み舌片６，７を任意の折目８上のスリット９に挿入係止することによって、任意の径の環状内周縁部２と環状外周縁部３を有する蛇腹状の円錐台筒を形成することができる。環状内周縁部２が動物の首部に巻かれる時、全体が動物の頭部を囲繞するように構成される。
【考案の効果】
【０００６】
本考案の動物用保護カラー１は、その使用に当たり、差し込み舌片６，７を差し込むスリット９を選択することにより、適用する動物の首周りの大きさに応じ、環状内周縁部２の径を調整できる。折目８の折角度を調整すれば、環状外周縁部３の径が変わり、円錐台筒の開き角度を動物の頭部の大きさに適合させることができる。第１、第２の両端縁４，５からそれぞれ差し込み舌片６，７が突出しており、組立時に差し込み舌片６，７を円錐台筒の内側と外側のからスリット９に差し込み係止できるので、形状が安定的に維持される。不使用時には、扇子のようにコンパクトに折りたたむことができるので収納や、持ち運びに便利である。紙で製作すれば、軽量で、安価に得られ、また廃棄処理も容易である。
【図面の簡単な説明】
【０００７】
【図１】本考案に係る動物用の保護カラーの展開図である。
【図２】図１の動物用の保護カラーの使用状態の説明図である。
【図３】図１の動物用の保護カラーの使用状態の説明図である。
【図４】図１の動物用の保護カラーの使用状態の説明図である。
【考案を実施するための形態】
【０００８】
図面を参照して本考案の実施の形態を説明する。
保護カラー１は、紙、合成樹脂などの柔軟な薄板材からなり、図１に示す展開状態において、概略扇形の平板状である。
【０００９】
保護カラー１は、小径円弧状の内周縁部２と、これと同心Ｏの大径円弧状の外周縁部３と、第１及び第２の端縁４，５と、両端縁４，５からそれぞれ突出する差し込み舌片６，７と、多数の折目８と、各折目８上の複数のスリット９とを具備する。
【００１０】
第１の端縁４は、内周縁部２の一端と外周縁部３の一端との間を内周縁部２の円心Ｏから延びる放射線に沿って接続している。第２の端縁５は、内周縁部２の他端と外周縁部３の他端との間を内周縁部２の円心Ｏから延びる放射線Ａ，Ｂに沿って接続している。
【００１１】
第１の端縁４から２つの差し込み舌片６が突出し、第２の端縁５から２つの差し込み舌片７が突出する。
【００１２】
折目８は、内周縁部２を多数等分する内側起点２ａと、外周縁部３を同数に等分する外側起点３ａとの間を結び、内外周縁部２，３の円心Ｏから放射線状に延びている。図２に示すように、多数の折目８は、谷折り目と山折り目が交互に並び、蛇腹を形成できるようになっている。
【００１３】
内周縁部２は、隣接する各内側起点２ａ間を接続して内側へ膨らむように湾曲した多数のラウンドカット部２ｂの連続により形成される
【００１４】
スリット９は、差し込み舌片７に対応するように、各折目８に沿って、外周側と内周側に相互間隔を置いて２つ形成される。
【００１５】
図３，図４に示すように、保護カラー１は、任意の折目８同士を重ねて、差し込み舌片８を任意の折目８上のスリット９に挿入係止することによって、内周縁部２と外周縁部３をそれぞれ任意の径の環状に接続し、蛇腹状の円錐台筒を形成して使用する。使用に当たっては、環状の内周縁部２を動物の首部に巻き、全体が動物の頭部を囲繞するようにする。
【００１６】
差し込み舌片６，７を差し込むスリット９を選択することにより、適用する動物の首周りの大きさに応じ、環状内周縁部２の径を調整する。折目８の折角度を調整し、環状の外周縁部３の径を変えることで、円錐台筒の開き角度を動物の頭部の大きさに適合させる。両端縁４，５の差し込み舌片６，７を円錐台筒の内側と外側からスリット９に差し込み係止する。これで保護カラー１の形状が安定的に維持される。装着時に、動物の首周りには、多数のラウンドカット部２ｂが接することになるので、皮膚への刺激が小さく、動物に与える不快感を小さくすることができる。不使用時には、扇子のようにコンパクトに折りたたみ、あるいは平板状に伸展させることができる。
【符号の説明】
【００１７】
１      保護カラー
２      内周縁部
２ａ    内側起点
３      外周縁部
３ａ    外側起点
４      第１の端縁
５      第２の端縁
６      差し込み舌片
７      差し込み舌片
８      折目
９      スリット
Ａ，Ｂ  放射線
Ｏ      円心
【図１】
0003212717.tif 000003
【図２】
0003212717.tif 000004
【図３】
0003212717.tif 000005
【図４】
0003212717.tif 000006